(57)【特許請求の範囲】
【請求項１】
前面に開口部を有する直方体状に形成され内部に配線用遮断器を配置可能な内器スペースが設けられた複数のボックスを備え、
前記複数のボックスは、左右方向に並びかつ離れて設けられ、
前記複数のボックスのうち左右方向に隣り合う２つのボックスを連結する連結部材をさらに備え、
前記複数のボックスのうち左右方向に隣り合う２つのボックスの間のスペースは、電線を配線可能な配線スペースであり、
前記複数のボックスの各々は、左右方向に隣り合うボックスとの対向壁に、前記電線を挿通可能な通線口が形成されており、
前記連結部材は、前記配線スペースの上方が開口するように左右方向に隣り合う前記２つのボックスを連結する
ことを特徴とする分電盤のキャビネット。
【請求項２】
前記連結部材は、左右方向における前記配線スペースの寸法を調整可能に構成される
ことを特徴とする請求項１記載の分電盤のキャビネット。
【請求項３】
前記複数のボックスとして一対のボックスを備える
ことを特徴とする請求項１または２記載の分電盤のキャビネット。
【請求項４】
前記一対のボックスのうち一方のボックスと他方のボックスとは、左右方向に直交する面に対して左右対称となる形状に形成されている
ことを特徴とする請求項３記載の分電盤のキャビネット。
【請求項５】
前記ボックスに取り付けられる扉をさらに備え、
前記扉は、前記開口部を覆う閉位置と、開放する開位置との間を回転自在に構成される
ことを特徴とする請求項１〜４のいずれか１項に記載の分電盤のキャビネット。
【請求項６】
前記配線スペースの前側を覆うカバーをさらに備える
ことを特徴とする請求項１〜５のいずれか１項に記載の分電盤のキャビネット。
【請求項７】
前記ボックスは、前記開口部及び前記通線口を有する本体部と、前記開口部と前記通線口とを仕切るように前記本体部に取り付けられる仕切部とを有し、
前記仕切部は、前記本体部から取り外し可能に構成される
ことを特徴とする請求項１〜６のいずれか１項に記載の分電盤のキャビネット。
【請求項８】
請求項１〜７のいずれか１項に記載の分電盤のキャビネットと、
前記内器スペースに配置された複数の配線用遮断器と、
前記内器スペースにおいて前記複数の配線用遮断器が電気的に接続された導電部材と、
前記複数のボックスのうち左右方向に隣り合う２つのボックスの各々に設けられた前記導電部材同士を電気的に接続する接続部材とを備える
ことを特徴とする分電盤。
【請求項９】
請求項８記載の分電盤の施工方法であって、
前記複数のボックスを左右方向に並べてかつ離して設ける設置工程と、
前記配線スペースに配線された電線を、前記通線口を通して前記配線用遮断器に接続する接続工程と、
左右方向に隣り合う２つボックスを前記連結部材で連結する連結工程とを有する
ことを特徴とする分電盤の施工方法。
【発明の詳細な説明】
【技術分野】
【０００１】
本発明は、一般に分電盤のキャビネット、分電盤、分電盤の施工方法、より詳細には電力の分配に用いられる分電盤のキャビネット、分電盤、分電盤の施工方法に関する。
【背景技術】
【０００２】
従来、ビルや工場などに設置される非住宅用の分電盤として、箱状のボディ（キャビネット）内の略中央位置において、回路遮断器（配線用遮断器）を上下方向に沿って左右２列に配設した分電盤が知られている（例えば、特許文献１参照）。また、非住宅用の分電盤では、電気負荷に接続される負荷側電線を、キャビネットの側板に設けた開口からキャビネット内に引き込む構成を備えたものが多い。
【先行技術文献】
【特許文献】
【０００３】
【特許文献１】特開２００３−１６４０２１号公報
【発明の概要】
【発明が解決しようとする課題】
【０００４】
分電盤を施工する前に負荷側電線が先行して分電盤の設置スペースに配線されている場合、分電盤を施工する際に、負荷側電線を設置スペースから他の場所に避ける手間が必要であった。また、分電盤を設置後に、避けた負荷側電線を元の位置に戻す手間が必要であった。
【０００５】
本発明は、上記事由に鑑みてなされており、その目的は、分電盤を施工する際の施工性の向上を図ることができる分電盤のキャビネット、分電盤、分電盤の施工方法を提供することにある。
【課題を解決するための手段】
【０００６】
本発明の分電盤のキャビネットは、前面に開口部を有する直方体状に形成され内部に配線用遮断器を配置可能な内器スペースが設けられた複数のボックスを備え、前記複数のボックスは、左右方向に並びかつ離れて設けられ、前記複数のボックスのうち左右方向に隣り合う２つのボックスを連結する連結部材をさらに備え、前記複数のボックスのうち左右方向に隣り合う２つのボックスの間のスペースは、電線を配線可能な配線スペースであり、前記複数のボックスの各々は、左右方向に隣り合うボックスとの対向壁に、前記電線を挿通可能な通線口が形成されており、前記連結部材は、前記配線スペースの上方が開口するように左右方向に隣り合う前記２つのボックスを連結することを特徴とする。
【０００７】
本発明の分電盤は、上記の分電盤のキャビネットと、前記内器スペースに配置された複数の配線用遮断器と、前記内器スペースにおいて前記複数の配線用遮断器が電気的に接続された導電部材と、前記複数のボックスのうち左右方向に隣り合う２つのボックスの各々に設けられた前記導電部材同士を電気的に接続する接続部材とを備えることを特徴とする。
【０００８】
本発明の分電盤の施工方法は、上記の分電盤の施工方法であって、前記複数のボックスを左右方向に並べてかつ離して設ける設置工程と、前記配線スペースに配線された電線を、前記通線口を通して前記配線用遮断器に接続する接続工程と、左右方向に隣り合う２つボックスを前記連結部材で連結する連結工程とを有することを特徴とする。
【発明の効果】
【０００９】
本発明の分電盤のキャビネット、分電盤、分電盤の施工方法では、分電盤を施工する際の施工性の向上を図ることができるという効果がある。
【図面の簡単な説明】
【００１０】
【図１】実施形態における分電盤の概略構成を示す正面図である。
【図２】図２Ａは、実施形態における右側ボックスの本体部に第１仕切部が取り付けられた状態の側面図である。図２Ｂは、右側ボックスの本体部に第１仕切部が取り外された状態の側面図である。
【図３】実施形態における右側ボックスの上面図である。
【図４】実施形態における本体部に第１仕切部が取り付けられ、かつ扉が開いた状態の要部を拡大した斜視図である。
【図５】実施形態における本体部から第１仕切部が取り外され、かつ扉が開いた状態の要部を拡大した斜視図である。
【図６】図６Ａは、実施形態における３つの連結部材のうち上側の連結部材を拡大した正面図である。図６Ｂは、実施形態における３つの連結部材のうち中央及び下側の連結部材を拡大した正面図である。
【図７】実施形態における３つの連結部材それぞれを拡大した側面図である。
【図８】実施形態におけるカバーを備えたキャビネットの概略構成を示す斜視図である。
【図９】実施形態における端子台を拡大した正面図である。
【発明を実施するための形態】
【００１１】
以下、本発明の実施の形態を図面に基づいて説明する。なお、下記の実施形態において説明する各図は、模式的な図であり、各構成要素の大きさや厚さそれぞれの比が必ずしも実際の寸法比を反映しているとは限らない。
【００１２】
（実施形態）
図１〜図９に本実施形態における分電盤１０、及び分電盤１０のキャビネット１の概略構成図を示す。まず、本実施形態の概要について説明する。
【００１３】
本実施形態の分電盤１０は、住宅（戸建住宅や集合住宅の各住戸）内に設置される住宅用分電盤ではなく、例えば集合住宅の電気室やビル、工場などに設置される業務用（非住宅用）分電盤であって、電気室などの設置スペースの床７１に設置される。つまり、本実施形態の分電盤１０は、壁掛け型ではなく床置き型の自立式分電盤を想定している。また、以下では、床７１に置かれた状態の分電盤１０を前方から見た上下左右を上下左右方向として説明する（図１参照）。なお、これらの方向は、分電盤１０の用途や設置形態、向きを特に限定する趣旨ではない。
【００１４】
本実施形態の分電盤１０のキャビネット１は、複数（本実施形態では２つ）のボックス２を備える。複数のボックス２は、前面に開口部２００を有する直方体状に形成され、内部に配線用遮断器５０を配置可能な内器スペース２０１が設けられている。複数のボックス２は、左右方向に並びかつ離れて設けられている。分電盤１０のキャビネット１は、複数のボックス２のうち左右方向に隣り合う２つのボックス２を連結する連結部材４１，４４，４５をさらに備えている。複数のボックス２のうち左右方向に隣り合う２つのボックス２の間のスペースは、負荷側電線６１（電線）を配線可能な配線スペース１００である。複数のボックス２の各々は、左右方向に隣り合うボックス２との対向壁（右側のボックス２の左側壁２１２、左側のボックス２の右側壁２１３）に、負荷側電線６１を挿通可能な第１通線口２４（通線口）が形成されている。
【００１５】
また、本実施形態の分電盤１０は、上記のキャビネット１と、複数の配線用遮断器５０と、導電バー５３（導電部材）と、接続電線５７（接続部材）とを備える。複数の配線用遮断器５０は、内器スペース２０１に配置される。導電バー５３は、内器スペース２０１において複数の配線用遮断器５０が電気的に接続される。接続電線５７は、複数のボックス２のうち左右方向に隣り合う２つのボックス２の各々に設けられた導電バー５３同士を電気的に接続する。
【００１６】
上記構成により、本実施形態のキャビネット１及び分電盤１０は、独立して形成された複数のボックス２を有している。したがって、分電盤１０の施工前に先行して負荷側電線６１が設置スペースに配線されている場合、この負荷側電線６１を移動させることなく、負荷側電線６１を挟むように複数のボックス２を設置することが可能となる。そして、負荷側電線６１を、配線スペース１００に連続して形成された第１通線口２４を通してボックス２内に引き込むことが可能となる。したがって、分電盤１０の施工前に先行して配線された負荷側電線６１を移動させることなく、分電盤１０の施工が可能であるので、分電盤１０を施工する際の施工性の向上を図ることが可能となる。
【００１７】
以下に、本実施形態の分電盤１０、及び分電盤１０のキャビネット１について詳細に説明する。
【００１８】
まず、分電盤１０のキャビネット１の構成について説明する。キャビネット１は、２つのボックス２と、２つの扉３１と、２つの土台３２と、連結部材４１，４４，４５とを備えている。なお、２つのボックス２を区別する場合、図１における右側のボックス２を右側ボックス２Ａといい、左側のボックス２を左側ボックス２Ｂという。
【００１９】
図１に示すように、ボックス２は、上下方向を長手方向とする直方体状の箱体であり、前面に上下方向を長手方向とする矩形状に開口した開口部２００を有する。ボックス２は、土台３２を介して設置面である床７１に設置されている。ボックス２は、その内部に配線用遮断器５０を配置可能な内器スペース２０１が設けられている。
【００２０】
具体的には、ボックス２は、矩形板状の背壁２１１と、背壁２１１の左端縁から前方に突出した左側壁２１２と、背壁２１１の右端縁から前方に突出した右側壁２１３とを有している。さらに、ボックス２は、左側壁２１２と右側壁２１３の上端縁同士を連結する上壁２１４と、左側壁２１２と右側壁２１３との下端縁同士を連結する下壁２１５とを有している。言い換えれば、左側壁２１２と右側壁２１３と上壁２１４と下壁２１５とで直方体状の枠体を構成し、その枠体の背面が背壁２１１によって塞がれることで直方体状の箱体を構成している。この箱体の前面が開口部２００となる。また、背壁２１１と左側壁２１２と右側壁２１３と上壁２１４と下壁２１５とで囲まれた空間が、内器スペース２０１となる。内器スペース２０１には、後述する複数の配線用遮断器５０、端子台５６などの内器が配置される。
【００２１】
右側ボックス２Ａと左側ボックス２Ｂとは、左右方向に離れて配置されており、右側ボックス２Ａと左側ボックス２Ｂとの間のスペースは、負荷側電線６１を配線可能な配線スペース１００となる。負荷側電線６１は、電気負荷に接続される電線であり、例えば電気室などの設置スペースにおける天井７２から電気室内に引き込まれ、配線スペース１００に配線される。また、ボックス２は、左右方向において隣り合うボックス２との対向壁に、第１通線口２４及び第２通線口２５が形成されている（図２参照）。具体的には、右側ボックス２Ａの左側壁２１２、及び左側ボックス２Ｂの右側壁２１３の各々に、第１通線口２４及び第２通線口２５が形成されている。
【００２２】
第１通線口２４及び第２通線口２５は、それぞれ、上下方向を長手方向とする矩形状の開口である。第１通線口２４は、第２通線口２５よりも上側、かつ前側に形成されている。また、第１通線口２４の上下方向の開口寸法は、第２通線口２５の上下方向の開口寸法よりも大きい。第１通線口２４には、負荷側電線６１が通される。第２通線口２５には、後述する接続電線５７が通される。
【００２３】
また、ボックス２の上壁２１４には、第３通線口２６が形成されている（図３参照）。第３通線口２６は、矩形状の開口であり、系統電源（商用電源）からの引込電線である主幹側電線６２が通される。
【００２４】
ここで、ボックス２は、本体部２１と第１仕切部２２と第２仕切部２３が組み合わさることで、上述した直方体状の箱体を形成している（図２、図４、図５参照）。第１仕切部２２は、第１通線口２４、第２通線口２５、及び開口部２００それぞれの間を仕切るように構成されている。第２仕切部２３は、第３通線口２６と開口部２００とを仕切るように構成されている。以下に、右側ボックス２Ａにおける本体部２１、第１仕切部２２、及び第２仕切部２３の構成について詳細に説明する。
【００２５】
右側ボックス２Ａの本体部２１は、背壁２１１と、右側ボックス２Ａの左側壁２１２の一部である側壁本体２１０と、右側壁２１３と、上壁２１４と、下壁２１５とで構成されている。本体部２１は、第１通線口２４及び第２通線口２５の前方が開放するように側壁本体２１０の上端部の一部が切り欠かれ、開口部２００の左方が開放するように開口部２００の左端縁の一部が切り欠かれている。
【００２６】
右側ボックス２Ａの第１仕切部２２は、仕切側壁２２１と仕切縁２２２とを有する。仕切側壁２２１は、右側ボックス２Ａの左側壁２１２の一部であり、側壁本体２１０の切り欠きの一部を閉塞、すなわち第１通線口２４及び第２通線口２５の前方を閉塞する。仕切縁２２２は、仕切側壁２２１の前端に連続しており、開口部２００の左端縁における切り欠き部分（開放部分）を閉塞する。また、第１仕切部２２は、ねじ２２３によって本体部２１に取り付けられており、本体部２１から取り外し可能に構成されている。
【００２７】
したがって、本体部２１から第１仕切部２２が取り外された状態では、第１通線口２４、第２通線口２５、及び開口部２００が、それぞれ互いに連続する。本体部２１に第１仕切部２２が取り付けられた状態では、第１通線口２４、第２通線口２５、及び開口部２００がそれぞれ第１仕切部２２によって仕切られる。
【００２８】
また、右側ボックス２Ａの本体部２１は、第３通線口２６の前方が開放するように上壁２１４の前端部の一部が切り欠かれ、開口部２００の上方が開放するように開口部２００の上端縁の一部が切り欠かれている。
【００２９】
右側ボックス２Ａの第２仕切部２３は、第３通線口２６の前方、及び開口部２００の上端縁の切り欠き部分（開放部分）を閉塞する。また、第２仕切部２３は、ねじ２３１によって本体部２１に取り付けられており、本体部２１から取り外し可能に構成されている。
【００３０】
したがって、本体部２１から第２仕切部２３が取り外された状態では、第３通線口２６と開口部２００とが連続し、本体部２１に第２仕切部２３が取り付けられた状態では、第３通線口２６と開口部２００とが第２仕切部２３によって仕切られる。
【００３１】
なお、右側ボックス２Ａと左側ボックス２Ｂとは、左右方向と直交する面に対して左右対称となるように形成されている。左側ボックス２Ｂにおける本体部２１、第１仕切部２２、第２仕切部２３は、右側ボックス２Ａの本体部２１、第１仕切部２２、第２仕切部２３と同様の構成であり、説明を省略する。
【００３２】
扉３１は、ボックス２の開口部２００に合わせた寸法、及び形状の矩形板状に形成されており、開口部２００を開閉可能に構成されている。右側ボックス２Ａの扉３１は、右端部を回転軸として開閉するように右側ボックス２Ａの右側壁２１３に取り付けられている。左側ボックス２Ｂの扉３１は、左端部を回転軸として開閉するように左側ボックス２Ｂの左側壁２１２に取り付けられている。すなわち、扉３１は、開口部２００を覆う閉位置と、開口部２００を開放する開位置との間で移動自在（回転自在）に構成される。
【００３３】
土台３２は、ボックス２を支えるようにボックス２の下側に設けられている。土台３２は、上方から見た投影図において、その外周形状がボックス２と略同一に形成されている。土台３２の上下方向の寸法は、土台３２の左右方向の寸法、及び土台３２の前後方向の寸法に比べて小さく設定されている。土台３２は、ボックス２の下壁２１５とビスなどで固定される。
【００３４】
次に、連結部材４１，４４，４５について図６、図７を用いて説明する。連結部材４１，４４，４５のそれぞれは、左右方向に並んで配置された右側ボックス２Ａと左側ボックス２Ｂとを連結するように構成されている。
【００３５】
連結部材４１は、右側連結部４２と左側連結部４３とを有する。右側連結部４２は、背面、左面、及び右面が開口した直方体状に形成されており、第２通線口２５の一部と前後方向に重なるように、右端部が右側ボックス２Ａの左側壁２１２に固定されている。具体的には、右側連結部４２は、前片４２１が右側ボックス２Ａの左側壁２１２に形成された第２通線口２５の後端よりも前方に位置するように、右側ボックス２Ａの左側壁２１２に固定されている。また、左側連結部４３は、背面、左面、及び右面が開口した直方体状に形成されており、第２通線口２５の一部と前後方向に重なるように、左端部が左側ボックス２Ｂの右側壁２１３に固定されている。具体的には、左側連結部４３は、前片４３１が左側ボックス２Ｂの右側壁２１３に形成された第２通線口２５の後端よりも前方に位置するように、左側ボックス２Ｂの右側壁２１３に固定されている。また、左側連結部４３は、右側連結部４２よりも上下方向の寸法が僅かに小さく形成されており、右側連結部４２の後側に嵌まり込むように構成されている。右側連結部４２の前片４２１における上端部及び下端部には、それぞれ、ねじ４１０が挿通する挿通孔４２２が形成されている。この挿通孔４２２は、開口形状が左右方向を長手方向とする長穴に形成されている。左側連結部４３の前片４３１における上端部及び下端部には、それぞれ、ねじ４１０が結合するねじ孔４３２が形成されている。そして、ねじ４１０が、右側連結部４２に形成された挿通孔４２２を挿通し、左側連結部４３に形成されたねじ孔４３２に結合されることで、右側連結部４２と左側連結部４３とが固定される。上記構成により、連結部材４１は、左右方向に並んで配置された右側ボックス２Ａと左側ボックス２Ｂとを連結する。
【００３６】
連結部材４４は、左右方向から見た断面がＬ字状に形成されており、左右方向を長手方向とする矩形板状の前片４４１と、前片４４１の上端から後方に突出した矩形板状の上片４４２とを有する。連結部材４４は、右側ボックス２Ａと左側ボックス２Ｂとに跨って設けられており、前片４４１が右側ボックス２Ａ及び左側ボックス２Ｂそれぞれの前面と対向し、上片４４２が右側ボックス２Ａ及び左側ボックス２Ｂそれぞれの上面と対向する。前片４４１は、右端部及び左端部それぞれにねじ４４０が挿通する挿通孔４４３が形成されている。この挿通孔４４３は、開口形状が左右方向を長手方向とする長穴に形成されている。右側ボックス２Ａの前面の上端部における左端側、及び左側ボックス２Ｂの前面の上端部における右端側それぞれには、ねじ４４０が結合されるねじ孔が形成されている。そして、ねじ４４０が、前片４４１に形成された挿通孔４４３を挿通し、右側ボックス２Ａ、及び左側ボックス２Ｂそれぞれの前面における上端部に形成されたねじ孔に結合される。上記構成により、連結部材４４は、左右方向に並んで配置された右側ボックス２Ａと左側ボックス２Ｂとを連結する。
【００３７】
連結部材４５は、前後方向を厚み方向とし、左右方向を長手方向とする矩形板状に形成されている。連結部材４５は、右側ボックス２Ａ、右側ボックス２Ａを支える土台３２（右側土台３２Ａとする）、左側ボックス２Ｂ、及び左側ボックス２Ｂを支える土台３２（左側土台３２Ｂとする）に跨って設けられている。連結部材４５は、右側ボックス２Ａ、右側土台３２Ａ、左側ボックス２Ｂ、及び左側土台３２Ｂそれぞれの前面に対向する。連結部材４５は、右端側及び左端側それぞれの上端部及び下端部に、ねじ４５０が挿通する挿通孔４５１が形成されている。この挿通孔４５１は、開口形状が左右方向を長手方向とする長穴に形成されている。右側ボックス２Ａの前面の下端部における左端側、及び左側ボックス２Ｂの前面における下端部における右端側それぞれには、ねじ４５０が結合されるねじ孔が形成されている。また、右側土台３２Ａの前面の下端部における左端側、及び左側土台３２Ｂの前面の下端部における右端側それぞれには、ねじ４５０が結合されるねじ孔が形成されている。そして、ねじ４５０が、挿通孔４５１を挿通し、右側ボックス２Ａ、右側土台３２Ａ、左側ボックス２Ｂ、及び左側土台３２Ｂそれぞれの前面に形成されたねじ孔に結合される。上記構成により、連結部材４５は、左右方向に並んで配置された右側ボックス２Ａと左側ボックス２Ｂとを連結する。
【００３８】
また、分電盤１０のキャビネット１は、図８に示すように、右側ボックス２Ａと左側ボックス２Ｂとの間の空間である配線スペース１００の前側を覆うカバー３３を備えていてもよい。カバー３３は、配線スペース１００に配線された負荷側電線６１を前方から隠す化粧板であり、上下方向を長手方向とする矩形板状に形成されている。右側ボックス２Ａの左側壁２１２、及び左側ボックス２Ｂの右側壁２１３それぞれの前端側には、Ｌ字状の固定部材３４が上下方向に並んで固定されている。カバー３３は、固定部材３４の前片３４１と対向する部位にねじ３４０が挿通する挿通孔３３１が形成されている。この挿通孔３３１は、開口形状が左右方向を長手方向とする長穴に形成されている。固定部材３４の前片３４１には、ねじ３４０が挿通するねじ孔３４２が形成されている。そして、ねじ３４０が、カバー３３に形成された挿通孔３３１を挿通し、固定部材３４の前片３４１に形成されたねじ孔３４２に結合される。これにより、カバー３３は、配線スペース１００の前側を覆うように右側ボックス２Ａ及び左側ボックス２Ｂに取り付けられる。
【００３９】
次に、分電盤１０の構成について説明する。分電盤１０は、上述したキャビネット１と、接続電線５７と、導電バー５３と、各ボックス２の内器スペース２０１に内器として設けられる複数の配線用遮断器５０、及び端子台５６とを備えている。
【００４０】
右側ボックス２Ａの内器スペース２０１には、複数の配線用遮断器５０として、主幹ブレーカ５１及び複数の分岐ブレーカ５２が設けられている。したがって、右側ボックス２Ａの内器スペース２０１には、主幹ブレーカ５１、複数の分岐ブレーカ５２、及び端子台５６が内器として設けられている。
【００４１】
主幹ブレーカ５１は、上端側に３つの一次側端子５１１が設けられ、下端側に３つの二次側端子５１２が設けられている（図４、図５参照）。各一次側端子５１１には、系統電源（商用電源）の単相三線式の引込電線（例えばキュービクル（Cubicle）のような受電設備からの引込電線）である主幹側電線６２が電気的に接続される。主幹側電線６２は、例えば電気室などの設置スペースにおける天井７２から引き込まれ、第３通線口２６を通って主幹ブレーカ５１の一次側端子５１１に電気的に接続される。各二次側端子５１２は、正面視がＬ字状に形成された第１接続導体５４を介して、上下方向を長手方向とする長尺状に形成された導電バー５３（導電部材）に電気的に接続されている。
【００４２】
本実施形態では、配電方式として単相三線式を想定しているので、３つの導電バー５３は、それぞれ、中性極（Ｎ相）に対応する導電バー、第１電圧極（Ｌ１相）に対応する導電バー、第２電圧極（Ｌ２相）に対応する導電バーとして機能する。これら３つの導電バー５３は、電気絶縁性を有する支持部材５３１によって前後方向に重なるようにしてボックス２に取り付けられている（図３参照）。
【００４３】
複数の分岐ブレーカ５２は、各導電バー５３の左側において上下方向１列に並ぶように配置されている。分岐ブレーカ５２は、協約形寸法に形成されている。協約形寸法とは、「JIS C 8201-2-1」に準拠した電灯分電盤用の回路遮断器の寸法を示す。
【００４４】
分岐ブレーカ５２は、一次側端子と二次側端子とを有しており、一次側端子が導電バー５３に電気的に接続され、二次側端子には負荷側電線６１が電気的に接続される。分岐ブレーカ５２は、導電バー５３に差し込まれる差込口を導電バー５３との対向面に有している。差込口は、３つの導電バー５３の各々に対応するように、前後方向に並んで３つ設けられている。一次側端子は、３つの差込口のうち２つの差込口内に露出するように設けられている。例えば、中性極及び第１電圧極に接続される分岐ブレーカ５２は、一次側端子が中性極の導電バー５３及び第１電圧極の導電バー５３それぞれに対応する差込口内に露出するように設けられている。また、中性極及び第２電圧極に接続される分岐ブレーカ５２は、一次側端子が中性極の導電バー５３及び第２電圧極の導電バー５３それぞれに対応する差込口内に露出するように設けられている。第１電圧極及び第２電圧極に接続される分岐ブレーカ５２は、一次側端子が第１電圧極及び第２電圧極の導電バー５３それぞれに対応する差込口内に露出するように設けられている。
【００４５】
分岐ブレーカ５２は、差込口に導電バー５３が差し込まれた状態で、右側ボックス２Ａに取り付けられる。これにより、分岐ブレーカ５２の一次側端子が導電バー５３と電気的に接続される。また、分岐ブレーカ５２の二次側端子には、電気負荷に接続される負荷側電線６１が、右側ボックス２Ａと左側ボックス２Ｂとの間の配線スペース１００から右側ボックス２Ａの左側壁２１２に形成された第２通線口２５を通って接続される。
【００４６】
端子台５６は、上下方向に並んで配置された複数の分岐ブレーカ５２の下側に設けられている。端子台５６は、上端側に３つの第１接続端子５６１が設けられ、下端側に３つの第２接続端子５６２が設けられている（図９参照）。各第１接続端子５６１は、上下方向に隣り合う第２接続端子５６２と１対１に対応しており、対応する第２接続端子５６２と電気的に接続されている。各第１接続端子５６１は、正面視がＬ字状に形成された第２接続導体５５を介して導電バー５３と電気的に接続されている。各第２接続端子５６２は、接続部材である接続電線５７が電気的に接続される。
【００４７】
また、左側ボックス２Ｂの内器スペース２０１には、複数の配線用遮断器５０として複数の分岐ブレーカ５２が設けられている。したがって、左側ボックス２Ｂの内器スペース２０１には、複数の分岐ブレーカ５２、及び端子台５６が内器として設けられている。すなわち、左側ボックス２Ｂの内器スペース２０１には、右側ボックス２Ａの内器スペース２０１に設けられた構成部材から、主幹ブレーカ５１、及び主幹ブレーカ５１と導電バー５３とを繋ぐ第１接続導体５４が省かれた構成部材が設けられている。
【００４８】
左側ボックス２Ｂに設けられた複数の分岐ブレーカ５２、導電バー５３、端子台５６、及び第２接続導体５５の位置は、右側ボックス２Ａに設けられた複数の分岐ブレーカ５２、導電バー５３、端子台５６、及び第２接続導体５５の位置と左右対称となる。すなわち、上下方向に並んで設けられた複数の分岐ブレーカ５２の左側に導電バー５３が設けられ、複数の分岐ブレーカ５２の下側に端子台５６が設けられている。
【００４９】
分岐ブレーカ５２は、差込口に導電バー５３が差し込まれた状態で、左側ボックス２Ｂに取り付けられ、分岐ブレーカ５２の一次側端子が導電バー５３と電気的に接続される。分岐ブレーカ５２の二次側端子には、電気負荷に接続される負荷側電線６１が、右側ボックス２Ａと左側ボックス２Ｂとの間の配線スペース１００から左側ボックス２Ｂの右側壁２１３に形成された第２通線口２５を通って接続される。
【００５０】
また、端子台５６の各第１接続端子５６１と、導電バー５３とは、正面視がＬ字状の第２接続導体５５によって電気的に接続されている。端子台５６の各第２接続端子５６２は、接続電線５７が電気的に接続される。
【００５１】
接続電線５７は、右側ボックス２Ａ及び左側ボックス２Ｂそれぞれに形成された第２通線口２５を通って、右側ボックス２Ａに設けられた端子台５６の第２接続端子５６２と、左側ボックス２Ｂに設けられた端子台５６の第２接続端子５６２とを電気的に接続する。これにより、右側ボックス２Ａに設けられた各導電バー５３と、左側ボックス２Ｂに設けられた各導電バー５３とが、第２接続導体５５、端子台５６、接続電線５７を介して１対１に対応するように電気的に接続される。したがって、右側ボックス２Ａに設けられた複数の分岐ブレーカ５２と、左側ボックス２Ｂに設けられた複数の分岐ブレーカ５２とは、右側ボックス２Ａに設けられた共通の主幹ブレーカ５１の二次側に電気的に接続されることとなる。
【００５２】
次に、分電盤１０の施工方法について説明する。
【００５３】
本実施形態における分電盤１０の施工方法は、設置工程と、接続工程と、連結工程とを有する。設置工程は、複数のボックス２を左右方向に並べてかつ離して設ける工程である。接続工程は、配線スペース１００に配線された電線を、第１通線口２４を通して分岐ブレーカ５２（配線用遮断器５０）に接続する工程である。連結工程は、左右方向に隣り合う２つのボックス２を連結部材４１，４４，４５で連結する工程である。
【００５４】
すなわち、施工者が本実施形態の分電盤１０を施工するにあたって、施工者は、まず右側土台３２Ａと左側土台３２Ｂとを左右方向に離して床７１に設置する。そして、施工者は、右側土台３２Ａの上に右側ボックス２Ａを設置し、左側土台３２Ｂの上に左側ボックス２Ｂを設置する（設置工程）。この際、分電盤１０を施工する前に先行して負荷側電線６１が配線されている場合、負荷側電線６１が右側ボックス２Ａと左側ボックス２Ｂとの間、すなわち配線スペース１００に位置するように、右側ボックス２Ａと左側ボックス２Ｂとを設置する。なお、右側ボックス２Ａと左側ボックス２Ｂとを設置した後、負荷側電線６１を配線スペース１００に配線してもよい。
【００５５】
次に、施工者は、右側ボックス２Ａ及び左側ボックス２Ｂそれぞれの本体部２１から第１仕切部２２、及び第２仕切部２３を取り外す。そして、施工者は、右側ボックス２Ａと左側ボックス２Ｂとの間の配線スペース１００に配線された負荷側電線６１を、右側ボックス２Ａ、あるいは左側ボックス２Ｂに形成された第１通線口２４を通して分岐ブレーカ５２に接続する（接続工程）。また、施工者は、右側ボックス２Ａ、及び左側ボックス２Ｂそれぞれに設けられた端子台５６に接続電線５７を接続する。また、施工者は、主幹側電線６２を第３通線口２６を通して主幹ブレーカ５１に接続する。
【００５６】
本体部２１から第１仕切部２２及び第２仕切部２３が取り外されていることによって、第１通線口２４、第２通線口２５、及び第３通線口２６それぞれが前方に開放し開口部２００と連続している。したがって、負荷側電線６１、接続電線５７、主幹側電線６２それぞれを、第１通線口２４、第２通線口２５、第３通線口２６にくぐらせる必要がなく、前方から第１通線口２４、第２通線口２５、第３通線口２６に通すことができる。そして、施工者は、負荷側電線６１、接続電線５７それぞれを、分岐ブレーカ５２、端子台５６に接続した後、本体部２１に第１仕切部２２を取り付ける。また、施工者は、主幹側電線６２を主幹ブレーカ５１に接続した後、本体部２１に第２仕切部２３を取り付ける。なお、第１仕切部２２、及び第２仕切部２３は、ボックス２を設置する前に本体部２１から取り外されていてもよい。
【００５７】
その後、施工者は、連結部材４１，４４，４５を用いて、左右方向に並んで配置された右側ボックス２Ａと左側ボックス２Ｂとを連結する（連結工程）。この際、連結部材４１の右側連結部４２及び左側連結部４３は、前後方向において、それぞれの前片４２１，４３１と第２通線口２５の後端との間に接続線５７が通るように、右側ボックス２Ａ、左側ボックス２Ｂに固定される（図７参照）。また、連結部材４１，４４，４５それぞれに形成された挿通孔４２２，４４３，４５１の開口形状は、左右方向を長手方向とする長穴に形成されている。ここで、左右方向における右側ボックス２Ａと左側ボックス２Ｂとの間隔を「設置間隔」とする。連結部材４１，４４，４５それぞれの挿通孔４２２，４４３，４５１が長穴に形成されていることによって、右側ボックス２Ａと左側ボックス２Ｂとを連結可能（設置可能）となる設置間隔に、所定の範囲を設定することができる。言い換えれば、連結部材４１，４４，４５それぞれの挿通孔４２２，４４３，４５１が長穴に形成されていることによって、設置間隔の調整、すなわち左右方向における配線スペース１００の寸法（幅）を調整することが可能となる。なお、連結工程は、接続工程の前に行われてもよい。
【００５８】
上述したように、本実施形態における分電盤１０のキャビネット１は、独立して形成された２つのボックス２（右側ボックス２Ａ，左側ボックス２Ｂ）を備えている。したがって、分電盤１０の設置前に先行して負荷側電線６１が設置スペースに配線されている場合、この負荷側電線６１を左右方向に挟むようにして右側ボックス２Ａと左側ボックス２Ｂとを設置することができる。これにより、負荷側電線６１を移動させることなく、右側ボックス２Ａと左側ボックス２Ｂとの間のスペースである配線スペース１００に、負荷側電線６１を配線することができる。
【００５９】
さらに、右側ボックス２Ａ及び左側ボックス２Ｂは、互いに対向する対向壁（右側ボックス２Ａの左側壁２１２、左側ボックス２Ｂの右側壁２１３）に負荷側電線６１を通す第１通線口２４が形成されている。すなわち、右側ボックス２Ａ及び左側ボックス２Ｂには、配線スペース１００に連続する第１通線口２４が形成されている。したがって、配線スペース１００に配線された負荷側電線６１を大きく引き回すことなく、第１通線口２４を通してボックス２内に引き込み、分岐ブレーカ５２（配線用遮断器５０）に接続することができる。
【００６０】
また、複数のボックス２が独立して形成されているため、ボックス２の小型化、軽量化を図ることができ、ボックス２の搬入、設置などが容易となる。
【００６１】
したがって、本実施形態における分電盤１０のキャビネット１は、分電盤１０を施工する際の施工性の向上を図ることが可能となる。また、本実施形態における分電盤１０は、上述したキャビネット１を備えて構成されており、分電盤１０を施工する際の施工性の向上を図ることが可能となる。
【００６２】
また、本実施形態における分電盤１０の施工方法は、分電盤１０の施工前に先行して負荷側電線６１が配線されている場合であっても、分電盤１０を施工する際に負荷側電線６１を避ける工程が不要となる。したがって、本実施形態における分電盤１０の施工方法は、分電盤１０を施工する際の施工性の向上を図ることが可能となる。
【００６３】
また、右側ボックス２Ａと左側ボックス２Ｂとは、連結部材４１，４４，４５によって連結されている。したがって、連結部材４１，４４，４５が設けられていない場合に比べて、右側ボックス２Ａ、及び左側ボックス２Ｂの歪み、位置ずれなどに対する強度の向上を図ることが可能となる。さらに、本実施形態では、連結部材４１は、ボックス２の後端側に設けられ、連結部材４４，４５は、ボックス２の前端側に設けられている。また、連結部材４４は、ボックス２の上端側に設けられ、連結部材４５は、ボックス２の下端側に設けられている。このように、連結部材４１，４４，４５によって、ボックス２の前端側、後端側、上端側、及び下端側それぞれが、左右方向に隣り合うボックス２と連結されているので、ボックス２の歪み、位置ずれなどに対する強度のさらなる向上を図ることが可能となる。また、左右方向における右側ボックス２Ａと左側ボックス２Ｂとの間において、連結部材４１は、接続電線５７を覆うように設けられている。したがって、連結部材４１により、接続電線５７が保護される。
【００６４】
また、連結部材４１，４４，４５は、それぞれの挿通孔４２２，４４３，４５１が長穴に形成されている。すなわち、連結部材４１，４４，４５は、左右方向における配線スペース１００の寸法を調整可能に構成される。上記構成により、例えば分電盤１０を設置する電気室の広さ、負荷側電線６１の量（本数）などに応じたボックス２の設置間隔を設定することができる。
【００６５】
また、本実施形態における分電盤１０のキャビネット１は、複数のボックス２として一対のボックス２（右側ボックス２Ａ、左側ボックス２Ｂ）を備える。上記構成により、配線スペース１００が一箇所となり、負荷側電線６１を一箇所にまとめることができ、分電盤１０の設置前に先行して負荷側電線６１の配線を行いやすくなる。
【００６６】
また、本実施形態における分電盤１０のキャビネット１は、一対のボックス２のうち一方のボックス２（右側ボックス２Ａ）と他方のボックス２（左側ボックス２Ｂ）とは、左右方向に直交する面に対して左右対称となる形状に形成されている。上記構成により、右側ボックス２Ａと左側ボックス２Ｂとの間に配線された負荷側電線６１を左右に振り分け、分岐ブレーカ５２に接続する接続作業の作業性の向上を図ることが可能となる。
【００６７】
また、本実施形態における分電盤１０のキャビネット１は、ボックス２に取り付けられる扉３１をさらに備える。扉３１は、開口部２００を覆う閉位置と、開放する開位置との間を移動自在に構成される。上記構成により、ボックス２内に設けられた内器を保護することが可能となる。
【００６８】
さらに、各ボックス２は、複数の分岐ブレーカ５２が上下方向の１列に並べて収納され、各分岐ブレーカ５２には、左右方向の一方側から負荷側電線６１が接続される。そのため、ボックス２の幅寸法（左右方向の寸法）は、複数の分岐ブレーカを上下方向の２列に並べて収納された従来のボックスの幅寸法に比べて小さく設定することができる。したがって、ボックス２に取り付けられる扉３１の幅寸法も、従来の構成に比べて小さく設定することができる。これにより、扉３１を開くために必要なボックス２の前方のスペースが、従来の構成よりも狭くなるので、電気室のスペースを有効に活用することができ、分電盤１０を狭い電気室に設置することも可能となる。
【００６９】
また、本実施形態における分電盤１０のキャビネット１は、配線スペース１００の前側を覆うカバー３３をさらに備える。上記構成により、配線スペース１００に配線された負荷側電線６１が前方から視認されにくくなるので見栄えがよくなる。さらに、カバー３３により、負荷側電線６１を保護することが可能となる。
【００７０】
また、カバー３３の挿通孔３３１が長穴に形成されているので、カバー３３を取り付けることができる右側ボックス２Ａと左側ボックス２Ｂとの設置間隔に、所定の範囲を設定することができる。すなわち、カバー３３は、右側ボックス２Ａと左側ボックス２Ｂとの設置間隔が変動した場合であっても、取り付けることが可能となる。
【００７１】
ボックス２は、開口部２００及び第１通線口２４（通線口）を有する本体部２１と、開口部２００と第１通線口２４とを仕切るように本体部２１に取り付けられる第１仕切部２２（仕切部）とを有する。第１仕切部２２は、本体部２１から取り外し可能に構成される。上記構成により、負荷側電線６１を分岐ブレーカ５２に接続する際に、第１仕切部２２を本体部２１から取り外すことで、負荷側電線６１を第１通線口２４にくぐらせる必要がなくなり、負荷側電線６１を前方から第１通線口２４に通すことができる。これにより、負荷側電線６１を分岐ブレーカ５２に接続する接続作業の作業性の向上を図ることが可能となる。
【００７２】
また、ボックス２は、開口部２００を前方から覆い内器を保護する保護板が設けられていてもよい。保護板は、開口部２００を覆った状態でも、主幹ブレーカ５１、及び複数の分岐ブレーカ５２それぞれの操作ハンドルを前方から操作可能とするために、操作ハンドルと対向する部位に開口が設けられる。
【００７３】
なお、本実施形態では、本体部２１に第１仕切部２２が取り付けられた状態では、第１通線口２４と第２通線口２５とが、第１仕切部２２によって仕切られているが、第１通線口２４と第２通線口２５とが連続するように形成されていてもよい。
【００７４】
また、本実施形態では、端子台５６は、複数の分岐ブレーカ５２の下側の位置に配置されているが、この位置に限らない。例えば、端子台５６は、複数の分岐ブレーカ５２の上側の位置に配置されていてもよい。この場合、端子台５６は、主幹ブレーカ５１と導電バー５３との間において電気的に介在するように設けられ、接続電線５７を介して左右方向に隣り合うボックス２に設けられる複数の分岐ブレーカ５２が主幹ブレーカ５１の二次側に電気的に接続される。
【００７５】
また、本実施形態では、負荷側電線６１、主幹側電線６２は、天井７２から電気室に引き込まれているが、床７１から電気室に引き込まれていてもよい。
【００７６】
また、本実施形態における分電盤１０のキャビネット１は、２つのボックス２（右側ボックス２Ａ、左側ボックス２Ｂ）を備えているが、３つ以上のボックス２を備えていてもよい。例えば、３つのボックス２が左右方向に並びかつ離れて設けられていてもよい。この場合、中央に配置されるボックス２は、左側壁２１２及び右側壁２１３に第１通線口２４及び第２通線口２５が形成される。また、中央のボックス２は、接続電線５７を介して右側のボックス２の端子台５６と電気的に接続される端子台５６、接続電線５７を介して左側のボックス２の端子台５６と電気的に接続される端子台５６を備える。これにより、右側のボックス２、中央のボックス２、左側のボックス２それぞれに設けられた複数の分岐ブレーカ５２が、共通の主幹ブレーカ５１の二次側に電気的に接続されることとなる。このように、本実施形態における分電盤１０のキャビネット１は、ボックス２の数を増加させ、負荷側電線６１の増加にも対応することが可能となる。
【００７７】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００７８】
１  キャビネット
１０  分電盤
１００  配線スペース
２  ボックス
２１  本体部
２２  第１仕切部（仕切部）
２４  第１通線口（通線口）
２００  開口部
２０１  内器スペース
２１２  左側壁（対向壁）
２１３  右側壁（対向壁）
３１  扉
３３  カバー
４１，４４，４５  連結部材
５０  配線用遮断器
５３  導電バー（導電部材）
５７  接続電線（接続部材）
６１  負荷側電線（電線）
【図１】
0006614525.tif 000002
【図２】
0006614525.tif 000003
【図３】
0006614525.tif 000004
【図４】
0006614525.tif 000005
【図５】
0006614525.tif 000006
【図６】
0006614525.tif 000007
【図７】
0006614525.tif 000008
【図８】
0006614525.tif 000009
【図９】
0006614525.tif 000010